(57)【要約】【課題】本発明はＴシャツ速乾装置を開示した。【解決手段】排水箱を含み、前記排水箱の中には前に開口した乾燥チャンバを含み、前記乾燥チャンバの頂端には上下に伸びている左右対称の昇降板がスライドできるように接続され、前記昇降板の前端端面には固定梢が設けられ、前記昇降板のうち対称中心に近接する側にはスライド溝が設けられ、前記スライド溝には遠心脱水装置が設けられ、本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によって服の速乾を実現し、同時に、服を絞る時に発生する服の変形を避ける。【選択図】図１
2020146419.tif 000002
【特許請求の範囲】
【請求項１】
排水箱を含み、前記排水箱の中には前に開口した乾燥チャンバを含み、前記乾燥チャンバの頂端には上下に伸びている左右対称の昇降板がスライドできるように接続され、前記昇降板の前端端面には固定梢が設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には左右対称の排気穴が相通して設けられ、前記伝動チャンバの頂端には前記昇降板を制御するスイッチ装置がスライドできるように接続され、前記伝動チャンバの下端端面には押圧装置が回転できるように接続され、その中、前記押圧装置が前記遠心脱水装置を制御し、前記乾燥チャンバの下端内壁には左右対称の排水口が相通して設けられ、前記排水口の中には遮断ドアが回転できるように接続され、前記排水口の中には前記遮断ドアの下端に位置する位置制限リングが設けられる、服を前記排気穴の前端の開口から前記遠心脱水装置の中に置き、前記スイッチ装置を押し動かして前記押圧装置を連動させて服に圧力を加えて排水を行い、また前記遠心脱水装置によって十分な脱水を行うことを特徴とするＴシャツ速乾装置。
【請求項２】
前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が相通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられる；前記置き箱と前記遠心脱水槽との当接関係によって、前記リターンばねに位置エネルギーを蓄えさせ、これにより外部動力から離脱する時再び前記遠心脱水槽を回して服に対して遠心脱水を行うことを特徴とする請求項１に記載のＴシャツ速乾装置。
【請求項３】
前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に相通し、且つ前記固定梢とスライドできるように接続される通し溝が設けられる；前記押しロッドによって前記ピストンを押し動かして下へ圧させて排気を行って前記昇降板を引張って上に移動させ、前記遠心脱水装置を上昇させて前記押圧装置と当接させることを特徴とする請求項１又は請求項２に記載のＴシャツ速乾装置。
【請求項４】
前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続される；前記排気穴によって噴出された気体が前記羽根車を回転連動させて前記スライド車を連動させて前記固定ブロックと当接させることを特徴とする請求項１又は請求項３に記載のＴシャツ速乾装置。
【発明の詳細な説明】
【技術分野】
【０００１】
本発明は生活用品技術分野に関し、具体的にはＴシャツ速乾装置である。
【背景技術】
【０００２】
Ｔシャツは夏着の欠けない元素であり、しかし、天気の影響を受けて高い頻度で洗う必要がある。また、手動で絞る時、結構強い力が要求されるので、社会的弱者に非常に不便である。そのため、服の水分を取り除いて乾燥スピードを高めるのに補助できる設備が業界発展における必然的な成り行きになっている。
【先行技術文献】
【特許文献】
【０００３】
【特許文献１】中国特許出願公開第１０９１８３３７０号明細書
【発明の概要】
【発明が解決しようとする課題】
【０００４】
本発明の目的はＴシャツ速乾装置を提供し、それは上記の現在の技術中の問題を解決できる。
【課題を解決するための手段】
【０００５】
本発明は以下の技術プランを通じて実現する：本発明のＴシャツ速乾装置は、排水箱を含み、前記排水箱の中には前に開口した乾燥チャンバを含み、前記乾燥チャンバの頂端には上下に伸びている左右対称の昇降板がスライドできるように接続され、前記昇降板の前端端面には固定梢が設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には左右対称の排気穴が相通して設けられ、前記伝動チャンバの頂端には前記昇降板を制御するスイッチ装置がスライドできるように接続され、前記伝動チャンバの下端端面には押圧装置が回転できるように接続され、その中、前記押圧装置が前記遠心脱水装置を制御し、前記乾燥チャンバの下端内壁には左右対称の排水口が相通して設けられ、前記排水口の中には遮断ドアが回転できるように接続され、前記排水口の中には前記遮断ドアの下端に位置する位置制限リングが設けられる、服を前記排気穴の前端の開口から前記遠心脱水装置の中に置き、前記スイッチ装置を押し動かして前記押圧装置を連動させて服に圧力を加えて排水を行い、また前記遠心脱水装置によって十分な脱水を行う。
【０００６】
優選的には、前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が相通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられる；前記置き箱と前記遠心脱水槽との当接関係によって、前記リターンばねに位置エネルギーを蓄えさせ、これにより外部動力から離脱する時再び前記遠心脱水槽を回して服に対して遠心脱水を行う。
【０００７】
優選的には、前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に相通し、且つ前記固定梢とスライドできるように接続される通し溝が設けられる；前記押しロッドによって前記ピストンを押し動かして下へ圧させて排気を行って前記昇降板を引張って上に移動させ、前記遠心脱水装置を上昇させて前記押圧装置と当接させる。
【０００８】
優選的には、前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続される；前記排気穴によって噴出された気体が前記羽根車を回転連動させて前記スライド車を連動させて前記固定ブロックと当接させる。
【発明の効果】
【０００９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によって服の速乾を実現し、同時に、服を絞る時に発生する服の変形を避ける。
【図面の簡単な説明】
【００１０】
説明しやすいため、本発明は以下の具体的な実施例と付図を交え詳しく説明する。
【００１１】
【図１】図１は本発明のＴシャツ速乾装置の全体構成略図である；
【図２】図２は図１のＡ―Ａの拡大略図である；
【図３】図３は図１のＢの拡大構造略図である。
【図４】図４は図１のＣの拡大構造略図である。
【発明を実施するための形態】
【００１２】
下記に図１−４を合わせて本発明について詳しく説明し、また、説明の便利を図るため、下記に記載の上下左右前後方向が図１自身の投影関係の上下左右前後方向と一致することにする。
【００１３】
本発明のＴシャツ速乾装置は、排水箱１１を含み、前記排水箱１１の中には前に開口した乾燥チャンバ１２を含み、前記乾燥チャンバ１２の頂端には上下に伸びている左右対称の昇降板３２がスライドできるように接続され、前記昇降板３２の前端端面には固定梢４９が設けられ、前記昇降板３２のうち対称中心に近接する側にはスライド溝２０が設けられ、前記スライド溝２０には遠心脱水装置９０１が設けられ、前記乾燥チャンバ１２の頂端には前記昇降板３２の間に位置する動力箱３１が設けられ、前記動力箱３１の中には伝動チャンバ３０が設けられ、前記伝動チャンバ３０の底端内壁には左右対称の排気穴１３が相通して設けられ、前記伝動チャンバ３０の頂端には前記昇降板３２を制御するスイッチ装置９０２がスライドできるように接続され、前記伝動チャンバ３０の下端端面には押圧装置９０３が回転できるように接続され、その中、前記押圧装置９０３が前記遠心脱水装置９０１を制御し、前記乾燥チャンバ１２の下端内壁には左右対称の排水口２６が相通して設けられ、前記排水口２６の中には遮断ドア２４が回転できるように接続され、前記排水口２６の中には前記遮断ドア２４の下端に位置する位置制限リング２５が設けられる、服を前記排気穴１３の前端の開口から前記遠心脱水装置９０１の中に置き、前記スイッチ装置９０２を押し動かして前記押圧装置９０３を連動させて服に圧力を加えて排水を行い、また前記遠心脱水装置９０１によって十分な脱水を行う。
【００１４】
有益的には、前記遠心脱水装置９０１は前記スライド溝２０とスライドできるように接続される吊りリング２１を含み、前記吊りリング２１の内円には置き箱２２が固定的に接続され、前記置き箱２２の中には上に開口した開口溝２８が設けられ、前記開口溝２８の下端には水落ち穴２３が相通して設けられ、前記開口溝２８の下端には前記水落ち穴２３の間に位置する噛合チャンバ４４が設けられ、前記噛合チャンバ４４の頂端には従動軸４７がスライドできるように接続され、前記従動軸４７には前記開口溝２８の中に位置する遠心脱水槽２７が設けられ、前記従動軸４７の下端には前記噛合チャンバ４４の中に位置する上継ぎ手４５が設けられ、前記噛合チャンバ４４の下端内壁には前記従動軸４７と回転できるように接続されるスライド枠３９がスライドできるように接続され、前記スライド枠３９の下側と前記上継ぎ手４５の上側との間にはリターンばね４６が接続され、前記スライド枠３９には前記噛合チャンバ４４の底部外側に位置する当接板４３が設けられ、前記当接板４３の上側と前記置き箱２２の下端端面との間には復帰ばね４１が接続され、前記噛合チャンバ４４の底端内壁には固定軸４２が設けられ、前記固定軸４２の上端には前記上継ぎ手４５と当接する下継ぎ手４０が設けられる；前記置き箱２２と前記遠心脱水槽２７との当接関係によって、前記リターンばね４６に位置エネルギーを蓄えさせ、これにより外部動力から離脱する時再び前記遠心脱水槽２７を回して服に遠心脱水を行う。
【００１５】
有益的には、前記スイッチ装置９０２は前記伝動チャンバ３０の頂端内壁にスライドできるように接続される押しロッド３５を含み、前記押しロッド３５には前記伝動チャンバ３０とスライドできるように接続されるピストン２９が設けられ、前記ピストン２９の上側と前記伝動チャンバ３０の頂端内壁との間には引張ばね３７が接続され、前記押しロッド３５には前記伝動チャンバ３０の頂部外側に位置する押し板３６が設けられ、前記伝動チャンバ３０の上端端面には左右対称のスタンド３３が回転できるように接続され、前記スタンド３３には前記押しロッド３５とヒンジで接続される回転ロッド３４が回転できるよに接続され、前記回転ロッド３４のうち対称中心から離れている端には前後に相通し、且つ前記固定梢４９とスライドできるように接続される通し溝４８が設けられる；前記押しロッド３５によって前記ピストン２９を押し動かして下へ圧させて排気を行って前記昇降板３２を引張って上に移動させ、前記遠心脱水装置９０１を上昇させて前記押圧装置９０３と当接させる。
【００１６】
有益的には、前記押圧装置９０３は前記伝動チャンバ３０の底端端面と回転できるように接続される駆動軸１４を含み、前記駆動軸１４には前記開口溝２８の内壁と当接する押圧盤１７が回転できるように接続され、前記押圧盤１７の中には下に開口した押圧溝１９が設けられ、前記押圧溝１９の中には四組の固定ブロック３８が環状陳列で設けられ、前記駆動軸１４には前記固定ブロック３８と当接するスライド車１８が設けられ、前記駆動軸１４には前記押圧盤１７の上端に位置する羽根車１５が設けられ、前記羽根車１５の下側と前記押圧盤１７の上側との間にはねじりばね１６が接続される；前記排気穴１３によって噴出された気体が前記羽根車１５を回転連動させて前記スライド車１８を連動させて前記固定ブロック３８と当接させる。
【００１７】
初期状態の時、ピストン２９が伝動チャンバ３０のうち頂端内壁に近接する側に位置し、押圧盤１７が前記開口溝２８と当接していなく、且つ当接板４３が乾燥チャンバ１２の底端内壁と当接していることによって、上継ぎ手４５と下継ぎ手４０とが当接していない。
【００１８】
装置が作動する時、Ｔシャツを遠心脱水槽２７に置き、押し板３６を押し動かして押しロッド３５を下へ移動させ、開口溝２８が押圧盤１７と当接するまで回転ロッド３４によって昇降板３２を引き動かして上へ移動させ、復帰ばね４１の弾性回復によって当接板４３を押し動かして下へ移動させ、スライド枠３９によって上継ぎ手４５を下継ぎ手４０と当接させ、この時、押しロッド３５がピストン２９を押し動かして下へ移動させて気体を排気穴１３から押し出して羽根車１５を吹いて動かし、羽根車１５が駆動軸１４を回転連動させてスライド車１８によって服を押して固定ブロック３８と当接させて初歩排水を行い、遠心脱水槽２７がスライド車１８と当接して同期的に置き箱２２を回し、置き箱２２が固定軸４２によって下継ぎ手４０を回転させ、また上継ぎ手４５を回転連動させてリターンばね４６に運動エネルギーを蓄えさせ、ピストン２９は引張ばね３７の弾性が回復する時に上に移動する時、当接板４３が再び乾燥チャンバ１２の底端内壁と当接して再び上継ぎ手４５を下継ぎ手４０との当接から離脱させ、この時、リターンばね４６の弾性が回復して回転するようになって従動軸４７によって遠心脱水槽２７を回転連動させて服に対して遠心脱水を行い、水が水落ち穴２３を経由して排水口２６から流出する。
【００１９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によって服の速乾を実現し、同時に、服を絞る時に発生する服の変形を避ける。
【００２０】
上記の方法を通じて、本分野の当業者は本願発明の範囲内で作動パターンに応じて様々な変化を実施できます。
【図１】
2020146419.tif 000003
【図２】
2020146419.tif 000004
【図３】
2020146419.tif 000005
【図４】
2020146419.tif 000006
【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
排水箱を含み、前記排水箱の中には前に開口した乾燥チャンバを含み、前記乾燥チャンバの頂端には上下に伸びている左右対称の昇降板がスライドできるように接続され、前記昇降板の前端端面には固定ピンが設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には左右対称の排気穴が連通して設けられ、前記伝動チャンバの頂端には前記昇降板を制御するスイッチ装置がスライドできるように接続され、前記伝動チャンバの下端端面には押圧装置が回転できるように接続され、前記乾燥チャンバの下端内壁には左右対称の排水口が連通して設けられ、前記排水口の中には遮断ドアが回転できるように接続され、前記排水口の中には前記遮断ドアの下端に位置する位置制限リングが設けられ、前記位置制限リングは、前記遮断ドアが上に翻転することを防止でき、それにより外部のものが前記乾燥チャンバの中に入ることを防止し、また前記遮断ドアが下に翻転でき、それにより前記乾燥チャンバ内の水分を排出できることを特徴とするＴシャツ速乾装置。
【請求項２】
前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が連通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられており、
前記置き箱と前記遠心脱水槽との当接関係によって、前記リターンばねに位置エネルギーを蓄えさせ、これにより外部動力から離脱する時再び前記遠心脱水槽を回してＴシャツに対して遠心脱水を行うことを特徴とする請求項１に記載のＴシャツ速乾装置。
【請求項３】
前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に連通し、且つ前記固定ピンとスライドできるように接続される通し溝が設けられることを特徴とする請求項１又は請求項２に記載のＴシャツ速乾装置。
【請求項４】
前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続されており、
前記排気穴によって噴出された気体が前記羽根車を回転連動させて前記スライド車を連動させて前記固定ブロックと当接させることを特徴とする請求項１又は請求項３に記載のＴシャツ速乾装置。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的にはＴシャツ速乾装置である。
【背景技術】
【０００２】
Ｔシャツは夏着の欠けない元素であり、しかし、天気の影響を受けて高い頻度で洗う必要がある。また、手動で絞る時、結構強い力が要求されるので、社会的弱者に非常に不便である。そのため、Ｔシャツの水分を取り除いて乾燥スピードを高めるのに補助できる設備が業界発展における必然的な成り行きになっている。
【先行技術文献】
【特許文献】
【０００３】
【特許文献１】中国特許出願公開第１０９１８３３７０号明細書
【発明の概要】
【発明が解決しようとする課題】
【０００４】
本発明の目的はＴシャツ速乾装置を提供し、それは上記の現在の技術中の問題を解決できる。
【課題を解決するための手段】
【０００５】
本発明は以下の技術プランを通じて実現する：本発明のＴシャツ速乾装置は、排水箱を含み、前記排水箱の中には前に開口した乾燥チャンバを含み、前記乾燥チャンバの頂端には上下に伸びている左右対称の昇降板がスライドできるように接続され、前記昇降板の前端端面には固定ピンが設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には左右対称の排気穴が連通して設けられ、前記伝動チャンバの頂端には前記昇降板を制御するスイッチ装置がスライドできるように接続され、前記伝動チャンバの下端端面には押圧装置が回転できるように接続され、前記乾燥チャンバの下端内壁には左右対称の排水口が連通して設けられ、前記排水口の中には遮断ドアが回転できるように接続され、前記排水口の中には前記遮断ドアの下端に位置する位置制限リングが設けられ、前記位置制限リングは、前記遮断ドアが上に翻転することを防止でき、それにより外部のものが前記乾燥チャンバの中に入ることを防止し、また前記遮断ドアが下に翻転でき、それにより前記乾燥チャンバ内の水分を排出できる。
【０００６】
優選的には、前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が連通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられており、
前記置き箱と前記遠心脱水槽との当接関係によって、前記リターンばねに位置エネルギーを蓄えさせ、これにより外部動力から離脱する時再び前記遠心脱水槽を回してＴシャツに対して遠心脱水を行う。
【０００７】
優選的には、前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に連通し、且つ前記固定ピンとスライドできるように接続される通し溝が設けられる。
【０００８】
優選的には、前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続されており、
前記排気穴によって噴出された気体が前記羽根車を回転連動させて前記スライド車を連動させて前記固定ブロックと当接させる。
【発明の効果】
【０００９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によってＴシャツの速乾を実現し、同時に、Ｔシャツを絞る時に発生するＴシャツの変形を避ける。
【図面の簡単な説明】
【００１０】
説明しやすいため、本発明は以下の具体的な実施例と付図を交え詳しく説明する。
【００１１】
【図１】図１は本発明のＴシャツ速乾装置の正面図
【図２】図２は図１のＡ―Ａの拡大略図
【図３】図３は図１のＢの拡大構造略図
【図４】図４は図１のＣの拡大構造略図
【発明を実施するための形態】
【００１２】
下記に図１−４を合わせて本発明について詳しく説明し、また、説明の便利を図るため、下記に記載の上下左右前後方向が図１自身の投影関係の上下左右前後方向と一致することにする。
【００１３】
本発明のＴシャツ速乾装置は、排水箱１１を含み、前記排水箱１１の中には前に開口した乾燥チャンバ１２を含み、前記乾燥チャンバ１２の頂端には上下に伸びている左右対称の昇降板３２がスライドできるように接続され、前記昇降板３２の前端端面には固定ピン４９が設けられ、前記昇降板３２のうち対称中心に近接する側にはスライド溝２０が設けられ、前記スライド溝２０には遠心脱水装置９０１が設けられ、前記乾燥チャンバ１２の頂端には前記昇降板３２の間に位置する動力箱３１が設けられ、前記動力箱３１の中には伝動チャンバ３０が設けられ、前記伝動チャンバ３０の底端内壁には左右対称の排気穴１３が連通して設けられ、前記伝動チャンバ３０の頂端には前記昇降板３２を制御するスイッチ装置９０２がスライドできるように接続され、前記伝動チャンバ３０の下端端面には押圧装置９０３が回転できるように接続され、前記乾燥チャンバ１２の下端内壁には左右対称の排水口２６が連通して設けられ、前記排水口２６の中には遮断ドア２４が回転できるように接続され、前記排水口２６の中には前記遮断ドア２４の下端に位置する位置制限リング２５が設けられ、前記位置制限リング25は、前記遮断ドア24が上に翻転することを防止でき、それにより外部のものが前記乾燥チャンバ12の中に入ることを防止し、また前記遮断ドア24が下に翻転でき、それにより前記乾燥チャンバ12内の水分を排出できる。
【００１４】
有益的には、前記遠心脱水装置９０１は前記スライド溝２０とスライドできるように接続される吊りリング２１を含み、前記吊りリング２１の内円には置き箱２２が固定的に接続され、前記置き箱２２の中には上に開口した開口溝２８が設けられ、前記開口溝２８の下端には水落ち穴２３が連通して設けられ、前記開口溝２８の下端には前記水落ち穴２３の間に位置する噛合チャンバ４４が設けられ、前記噛合チャンバ４４の頂端には従動軸４７がスライドできるように接続され、前記従動軸４７には前記開口溝２８の中に位置する遠心脱水槽２７が設けられ、前記従動軸４７の下端には前記噛合チャンバ４４の中に位置する上継ぎ手４５が設けられ、前記噛合チャンバ４４の下端内壁には前記従動軸４７と回転できるように接続されるスライド枠３９がスライドできるように接続され、前記スライド枠３９の下側と前記上継ぎ手４５の上側との間にはリターンばね４６が接続され、前記スライド枠３９には前記噛合チャンバ４４の底部外側に位置する当接板４３が設けられ、前記当接板４３の上側と前記置き箱２２の下端端面との間には復帰ばね４１が接続され、前記噛合チャンバ４４の底端内壁には固定軸４２が設けられ、前記固定軸４２の上端には前記上継ぎ手４５と当接する下継ぎ手４０が設けられており、
前記置き箱２２と前記遠心脱水槽２７との当接関係によって、前記リターンばね４６に位置エネルギーを蓄えさせ、これにより外部動力から離脱する時再び前記遠心脱水槽２７を回してＴシャツに遠心脱水を行う。
【００１５】
有益的には、前記スイッチ装置９０２は前記伝動チャンバ３０の頂端内壁にスライドできるように接続される押しロッド３５を含み、前記押しロッド３５には前記伝動チャンバ３０とスライドできるように接続されるピストン２９が設けられ、前記ピストン２９の上側と前記伝動チャンバ３０の頂端内壁との間には引張ばね３７が接続され、前記押しロッド３５には前記伝動チャンバ３０の頂部外側に位置する押し板３６が設けられ、前記伝動チャンバ３０の上端端面には左右対称のスタンド３３が回転できるように接続され、前記スタンド３３には前記押しロッド３５とヒンジで接続される回転ロッド３４が回転できるよに接続され、前記回転ロッド３４のうち対称中心から離れている端には前後に連通し、且つ前記固定ピン４９とスライドできるように接続される通し溝４８が設けられる。
【００１６】
有益的には、前記押圧装置９０３は前記伝動チャンバ３０の底端端面と回転できるように接続される駆動軸１４を含み、前記駆動軸１４には前記開口溝２８の内壁と当接する押圧盤１７が回転できるように接続され、前記押圧盤１７の中には下に開口した押圧溝１９が設けられ、前記押圧溝１９の中には四組の固定ブロック３８が環状陳列で設けられ、前記駆動軸１４には前記固定ブロック３８と当接するスライド車１８が設けられ、前記駆動軸１４には前記押圧盤１７の上端に位置する羽根車１５が設けられ、前記羽根車１５の下側と前記押圧盤１７の上側との間にはねじりばね１６が接続されており、
前記排気穴１３によって噴出された気体が前記羽根車１５を回転連動させて前記スライド車１８を連動させて前記固定ブロック３８と当接させる。
【００１７】
初期状態の時、ピストン２９が伝動チャンバ３０のうち頂端内壁に近接する側に位置し、押圧盤１７が前記開口溝２８と当接していなく、且つ当接板４３が乾燥チャンバ１２の底端内壁と当接していることによって、上継ぎ手４５と下継ぎ手４０とが当接していない。
【００１８】
装置が作動する時、Ｔシャツを遠心脱水槽２７に置き、押し板３６を押し動かして押しロッド３５を下へ移動させ、開口溝２８が押圧盤１７と当接するまで回転ロッド３４によって昇降板３２を引き動かして上へ移動させ、復帰ばね４１の弾性回復によって当接板４３を押し動かして下へ移動させ、スライド枠３９によって上継ぎ手４５を下継ぎ手４０と当接させ、この時、押しロッド３５がピストン２９を押し動かして下へ移動させて気体を排気穴１３から押し出して羽根車１５を吹いて動かし、羽根車１５が駆動軸１４を回転連動させてスライド車１８によってＴシャツを押して固定ブロック３８と当接させて初歩排水を行い、遠心脱水槽２７がスライド車１８と当接して同期的に置き箱２２を回し、置き箱２２が固定軸４２によって下継ぎ手４０を回転させ、また上継ぎ手４５を回転連動させてリターンばね４６に運動エネルギーを蓄えさせ、ピストン２９は引張ばね３７の弾性が回復する時に上に移動する時、当接板４３が再び乾燥チャンバ１２の底端内壁と当接して再び上継ぎ手４５を下継ぎ手４０との当接から離脱させ、この時、リターンばね４６の弾性が回復して回転するようになって従動軸４７によって遠心脱水槽２７を回転連動させてＴシャツに対して遠心脱水を行い、水が水落ち穴２３を経由して排水口２６から流出する。
【００１９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によってＴシャツの速乾を実現し、同時に、Ｔシャツを絞る時に発生するＴシャツの変形を避ける。
【００２０】
上記の方法を通じて、本分野の当業者は本願発明の範囲内で作動パターンに応じて様々な変化を実施できます。
【手続補正書】
【提出日】令和1年8月11日(2019.8.11)
【手続補正１】
【補正対象書類名】特許請求の範囲
【補正対象項目名】全文
【補正方法】変更
【補正の内容】
【特許請求の範囲】
【請求項１】
排水箱を含み、前記排水箱の中には正面に開口した乾燥チャンバを含み、前記乾燥チャンバの頂端には上下に伸びている左右対称の昇降板がスライドできるように接続され、前記昇降板の前端端面には固定ピンが設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には前記乾燥チャンバと連通した排気穴が左右対称に設けられ、前記伝動チャンバの頂端には前記昇降板を制御するスイッチ装置がスライドできるように接続され、前記伝動チャンバの下端端面には押圧装置が回転できるように接続され、前記押圧装置が前記遠心脱水装置を制御し、前記伝動チャンバの底端内壁には外部と連通した排水口が左右対称に設けられ、前記排水口の中には遮断ドアが回転できるように接続され、前記排水口の中には前記遮断ドアの下端に位置する位置制限リングが設けられ、服を前記排気穴の前端の開口から前記遠心脱水装置の中に置き、手動で前記スイッチ装置を押し動かして前記押圧装置を連動させて服に圧力を加えて排水を行い、また前記遠心脱水装置によって十分な脱水を行い、前記位置制限リングは、排水に関し、前記遮断ドアの回転する位置を制限することを特徴とするＴシャツ速乾装置。
【請求項２】
前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が連通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられており、
前記置き箱と前記遠心脱水槽との当接関係によって、前記リターンばねに位置エネルギーを蓄えさせ、これにより外部動力から離脱する時再び前記遠心脱水槽を回してＴシャツに対して遠心脱水を行うことを特徴とする請求項１に記載のＴシャツ速乾装置。
【請求項３】
前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に連通し、且つ前記固定ピンとスライドできるように接続される通し溝が設けられ、前記押しロッドによって前記ピストンを押し動かして下へ圧させて排気を行って前記昇降板を引張って上に移動させ、前記遠心脱水装置を上昇させて前記押圧装置と当接させることを特徴とする請求項１又は請求項２に記載のＴシャツ速乾装置。
【請求項４】
前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続されており、
前記排気穴によって噴出された気体が前記羽根車を回転連動させて前記スライド車を連動させて前記固定ブロックと当接させることを特徴とする請求項１又は請求項３に記載のＴシャツ速乾装置。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的にはＴシャツ速乾装置である。
【背景技術】
【０００２】
Ｔシャツは夏着の欠けない元素であり、しかし、天気の影響を受けて高い頻度で洗う必要がある。また、手動で絞る時、結構強い力が要求されるので、社会的弱者に非常に不便である。そのため、Ｔシャツの水分を取り除いて乾燥スピードを高めるのに補助できる設備が業界発展における必然的な成り行きになっている。
【先行技術文献】
【特許文献】
【０００３】
【特許文献１】中国特許出願公開第１０９１８３３７０号明細書
【発明の概要】
【発明が解決しようとする課題】
【０００４】
本発明の目的はＴシャツ速乾装置を提供し、それは上記の現在の技術中の問題を解決できる。
【課題を解決するための手段】
【０００５】
本発明は以下の技術プランを通じて実現する：本発明のＴシャツ速乾装置は、排水箱を含み、前記排水箱の中には正面に開口した乾燥チャンバを含み、前記乾燥チャンバの頂端には上下に伸びている左右対称の昇降板がスライドできるように接続され、前記昇降板の前端端面には固定ピンが設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には前記乾燥チャンバと連通した排気穴が左右対称に設けられ、前記伝動チャンバの頂端には前記昇降板を制御するスイッチ装置がスライドできるように接続され、前記伝動チャンバの下端端面には押圧装置が回転できるように接続され、前記押圧装置が前記遠心脱水装置を制御し、前記伝動チャンバの底端内壁には外部と連通した排水口が左右対称に設けられ、前記排水口の中には遮断ドアが回転できるように接続され、前記排水口の中には前記遮断ドアの下端に位置する位置制限リングが設けられ、服を前記排気穴の前端の開口から前記遠心脱水装置の中に置き、手動で前記スイッチ装置を押し動かして前記押圧装置を連動させて服に圧力を加えて排水を行い、また前記遠心脱水装置によって十分な脱水を行い、前記位置制限リングは、排水に関し、前記遮断ドアの回転する位置を制限する。
【０００６】
優選的には、前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が連通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられており、
前記置き箱と前記遠心脱水槽との当接関係によって、前記リターンばねに位置エネルギーを蓄えさせ、これにより外部動力から離脱する時再び前記遠心脱水槽を回してＴシャツに対して遠心脱水を行う。
【０００７】
優選的には、前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に連通し、且つ前記固定ピンとスライドできるように接続される通し溝が設けられ、前記押しロッドによって前記ピストンを押し動かして下へ圧させて排気を行って前記昇降板を引張って上に移動させ、前記遠心脱水装置を上昇させて前記押圧装置と当接させる。
【０００８】
優選的には、前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続されており、
前記排気穴によって噴出された気体が前記羽根車を回転連動させて前記スライド車を連動させて前記固定ブロックと当接させる。
【発明の効果】
【０００９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によってＴシャツの速乾を実現し、同時に、Ｔシャツを絞る時に発生するＴシャツの変形を避ける。
【図面の簡単な説明】
【００１０】
説明しやすいため、本発明は以下の具体的な実施例と付図を交え詳しく説明する。
【００１１】
【図１】図１は本発明のＴシャツ速乾装置の正面図
【図２】図２は図１のＡ―Ａの拡大略図
【図３】図３は図１のＢの拡大構造略図
【図４】図４は図１のＣの拡大構造略図
【発明を実施するための形態】
【００１２】
下記に図１−４を合わせて本発明について詳しく説明し、また、説明の便利を図るため、下記に記載の上下左右前後方向が図１自身の投影関係の上下左右前後方向と一致することにする。
【００１３】
本発明のＴシャツ速乾装置は、排水箱１１を含み、前記排水箱１１の中には正面に開口した乾燥チャンバ１２を含み、前記乾燥チャンバ１２の頂端には上下に伸びている左右対称の昇降板３２がスライドできるように接続され、前記昇降板３２の前端端面には固定ピン４９が設けられ、前記昇降板３２のうち対称中心に近接する側にはスライド溝２０が設けられ、前記スライド溝２０には遠心脱水装置９０１が設けられ、前記乾燥チャンバ１２の頂端には前記昇降板３２の間に位置する動力箱３１が設けられ、前記動力箱３１の中には伝動チャンバ３０が設けられ、前記伝動チャンバ３０の底端内壁には前記乾燥チャンバ１２と連通した排気穴１３が左右対称に設けられ、前記伝動チャンバ３０の頂端には前記昇降板３２を制御するスイッチ装置９０２がスライドできるように接続され、前記伝動チャンバ３０の下端端面には押圧装置９０３が回転できるように接続され、前記押圧装置９０３が前記遠心脱水装置９０１を制御し、前記伝動チャンバ３０の底端内壁には外部と連通した排水口２６が左右対称に設けられ、前記排水口２６の中には遮断ドア２４が回転できるように接続され、前記排水口２６の中には前記遮断ドア２４の下端に位置する位置制限リング２５が設けられ、服を前記排気穴１３の前端の開口から前記遠心脱水装置９０１の中に置き、手動で前記スイッチ装置９０２を押し動かして前記押圧装置９０３を連動させて服に圧力を加えて排水を行い、また前記遠心脱水装置９０１によって十分な脱水を行い、前記位置制限リング２５は、排水に関し、前記遮断ドア２４の回転する位置を制限する。
【００１４】
有益的には、前記遠心脱水装置９０１は前記スライド溝２０とスライドできるように接続される吊りリング２１を含み、前記吊りリング２１の内円には置き箱２２が固定的に接続され、前記置き箱２２の中には上に開口した開口溝２８が設けられ、前記開口溝２８の下端には水落ち穴２３が連通して設けられ、前記開口溝２８の下端には前記水落ち穴２３の間に位置する噛合チャンバ４４が設けられ、前記噛合チャンバ４４の頂端には従動軸４７がスライドできるように接続され、前記従動軸４７には前記開口溝２８の中に位置する遠心脱水槽２７が設けられ、前記従動軸４７の下端には前記噛合チャンバ４４の中に位置する上継ぎ手４５が設けられ、前記噛合チャンバ４４の下端内壁には前記従動軸４７と回転できるように接続されるスライド枠３９がスライドできるように接続され、前記スライド枠３９の下側と前記上継ぎ手４５の上側との間にはリターンばね４６が接続され、前記スライド枠３９には前記噛合チャンバ４４の底部外側に位置する当接板４３が設けられ、前記当接板４３の上側と前記置き箱２２の下端端面との間には復帰ばね４１が接続され、前記噛合チャンバ４４の底端内壁には固定軸４２が設けられ、前記固定軸４２の上端には前記上継ぎ手４５と当接する下継ぎ手４０が設けられており、
前記置き箱２２と前記遠心脱水槽２７との当接関係によって、前記リターンばね４６に位置エネルギーを蓄えさせ、これにより外部動力から離脱する時再び前記遠心脱水槽２７を回してＴシャツに遠心脱水を行う。
【００１５】
有益的には、前記スイッチ装置９０２は前記伝動チャンバ３０の頂端内壁にスライドできるように接続される押しロッド３５を含み、前記押しロッド３５には前記伝動チャンバ３０とスライドできるように接続されるピストン２９が設けられ、前記ピストン２９の上側と前記伝動チャンバ３０の頂端内壁との間には引張ばね３７が接続され、前記押しロッド３５には前記伝動チャンバ３０の頂部外側に位置する押し板３６が設けられ、前記伝動チャンバ３０の上端端面には左右対称のスタンド３３が回転できるように接続され、前記スタンド３３には前記押しロッド３５とヒンジで接続される回転ロッド３４が回転できるよに接続され、前記回転ロッド３４のうち対称中心から離れている端には前後に連通し、且つ前記固定ピン４９とスライドできるように接続される通し溝４８が設けられ、前記押しロッド３５によって前記ピストン２９を押し動かして下へ圧させて排気を行って前記昇降板３２を引張って上に移動させ、前記遠心脱水装置９０１を上昇させて前記押圧装置９０３と当接させる。
【００１６】
有益的には、前記押圧装置９０３は前記伝動チャンバ３０の底端端面と回転できるように接続される駆動軸１４を含み、前記駆動軸１４には前記開口溝２８の内壁と当接する押圧盤１７が回転できるように接続され、前記押圧盤１７の中には下に開口した押圧溝１９が設けられ、前記押圧溝１９の中には四組の固定ブロック３８が環状陳列で設けられ、前記駆動軸１４には前記固定ブロック３８と当接するスライド車１８が設けられ、前記駆動軸１４には前記押圧盤１７の上端に位置する羽根車１５が設けられ、前記羽根車１５の下側と前記押圧盤１７の上側との間にはねじりばね１６が接続されており、
前記排気穴１３によって噴出された気体が前記羽根車１５を回転連動させて前記スライド車１８を連動させて前記固定ブロック３８と当接させる。
【００１７】
初期状態の時、ピストン２９が伝動チャンバ３０のうち頂端内壁に近接する側に位置し、押圧盤１７が前記開口溝２８と当接していなく、且つ当接板４３が乾燥チャンバ１２の底端内壁と当接していることによって、上継ぎ手４５と下継ぎ手４０とが当接していない。
【００１８】
装置が作動する時、Ｔシャツを遠心脱水槽２７に置き、押し板３６を押し動かして押しロッド３５を下へ移動させ、開口溝２８が押圧盤１７と当接するまで回転ロッド３４によって昇降板３２を引き動かして上へ移動させ、復帰ばね４１の弾性回復によって当接板４３を押し動かして下へ移動させ、スライド枠３９によって上継ぎ手４５を下継ぎ手４０と当接させ、この時、押しロッド３５がピストン２９を押し動かして下へ移動させて気体を排気穴１３から押し出して羽根車１５を吹いて動かし、羽根車１５が駆動軸１４を回転連動させてスライド車１８によってＴシャツを押して固定ブロック３８と当接させて初歩排水を行い、遠心脱水槽２７がスライド車１８と当接して同期的に置き箱２２を回し、置き箱２２が固定軸４２によって下継ぎ手４０を回転させ、また上継ぎ手４５を回転連動させてリターンばね４６に運動エネルギーを蓄えさせ、ピストン２９は引張ばね３７の弾性が回復する時に上に移動する時、当接板４３が再び乾燥チャンバ１２の底端内壁と当接して再び上継ぎ手４５を下継ぎ手４０との当接から離脱させ、この時、リターンばね４６の弾性が回復して回転するようになって従動軸４７によって遠心脱水槽２７を回転連動させてＴシャツに対して遠心脱水を行い、水が水落ち穴２３を経由して排水口２６から流出する。
【００１９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によってＴシャツの速乾を実現し、同時に、Ｔシャツを絞る時に発生するＴシャツの変形を避ける。
【００２０】
上記の方法を通じて、本分野の当業者は本願発明の範囲内で作動パターンに応じて様々な変化を実施できます。
【手続補正書】
【提出日】令和1年12月25日(2019.12.25)
【手続補正１】
【補正対象書類名】特許請求の範囲
【補正対象項目名】全文
【補正方法】変更
【補正の内容】
【特許請求の範囲】
【請求項１】
排水箱を含み、前記排水箱の中には正面に開口した乾燥チャンバを含み、前記乾燥チャンバの頂端には上下に伸びている左右対称の昇降板がスライドできるように接続され、前記昇降板の前端端面には固定ピンが設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には前記乾燥チャンバと連通した排気穴が左右対称に設けられ、前記伝動チャンバの頂端には前記昇降板を制御するスイッチ装置がスライドできるように接続され、前記伝動チャンバの下端端面には押圧装置が回転できるように接続され、前記押圧装置が前記遠心脱水装置を制御し、前記伝動チャンバの底端内壁には外部と連通した排水口が左右対称に設けられ、前記排水口の中には遮断ドアが回転できるように接続され、前記排水口の中には前記遮断ドアの下端に位置する位置制限リングが設けられ、Ｔシャツを前記排気穴の前端の開口から前記遠心脱水装置の中に置き、手動で前記スイッチ装置を押し動かして前記押圧装置を連動させてＴシャツに圧力を加えて排水を行い、また前記遠心脱水装置によって十分な脱水を行い、前記位置制限リングは、排水に関し、前記遮断ドアの回転する位置を制限でき、
前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が連通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられており、
前記置き箱と前記遠心脱水槽との当接関係によって、前記リターンばねに位置エネルギーを蓄えさせ、これにより外部動力から離脱する時再び前記遠心脱水槽を回してＴシャツに対して遠心脱水を行い、
前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に連通し、且つ前記固定ピンとスライドできるように接続される通し溝が設けられ、前記押しロッドによって前記ピストンを押し動かして下へ圧させて排気を行って前記昇降板を引張って上に移動させ、前記遠心脱水装置を上昇させて前記押圧装置と当接させ、
前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続されており、
前記排気穴によって噴出された気体が前記羽根車を回転連動させて前記スライド車を連動させて前記固定ブロックと当接させることを特徴とするＴシャツ速乾装置。
【手続補正２】
【補正対象書類名】明細書
【補正対象項目名】全文
【補正方法】変更
【補正の内容】
【発明の詳細な説明】
【技術分野】
【０００１】
本発明は生活用品技術分野に関し、具体的にはＴシャツ速乾装置である。
【背景技術】
【０００２】
Ｔシャツは夏着の欠けない元素であり、しかし、天気の影響を受けて高い頻度で洗う必要がある。また、手動で絞る時、結構強い力が要求されるので、社会的弱者に非常に不便である。そのため、Ｔシャツの水分を取り除いて乾燥スピードを高めるのに補助できる設備が業界発展における必然的な成り行きになっている。
【先行技術文献】
【特許文献】
【０００３】
【特許文献１】中国特許出願公開第１０９１８３３７０号明細書
【発明の概要】
【発明が解決しようとする課題】
【０００４】
本発明の目的はＴシャツ速乾装置を提供し、それは上記の現在の技術中の問題を解決できる。
【課題を解決するための手段】
【０００５】
本発明は以下の技術プランを通じて実現する：本発明のＴシャツ速乾装置は、排水箱を含み、前記排水箱の中には正面に開口した乾燥チャンバを含み、前記乾燥チャンバの頂端には上下に伸びている左右対称の昇降板がスライドできるように接続され、前記昇降板の前端端面には固定ピンが設けられ、前記昇降板のうち対称中心に近接する側にはスライド溝が設けられ、前記スライド溝には遠心脱水装置が設けられ、前記乾燥チャンバの頂端には前記昇降板の間に位置する動力箱が設けられ、前記動力箱の中には伝動チャンバが設けられ、前記伝動チャンバの底端内壁には前記乾燥チャンバと連通した排気穴が左右対称に設けられ、前記伝動チャンバの頂端には前記昇降板を制御するスイッチ装置がスライドできるように接続され、前記伝動チャンバの下端端面には押圧装置が回転できるように接続され、前記押圧装置が前記遠心脱水装置を制御し、前記伝動チャンバの底端内壁には外部と連通した排水口が左右対称に設けられ、前記排水口の中には遮断ドアが回転できるように接続され、前記排水口の中には前記遮断ドアの下端に位置する位置制限リングが設けられ、Ｔシャツを前記排気穴の前端の開口から前記遠心脱水装置の中に置き、手動で前記スイッチ装置を押し動かして前記押圧装置を連動させてＴシャツに圧力を加えて排水を行い、また前記遠心脱水装置によって十分な脱水を行い、前記位置制限リングは、排水に関し、前記遮断ドアの回転する位置を制限する。
【０００６】
優選的には、前記遠心脱水装置は前記スライド溝とスライドできるように接続される吊りリングを含み、前記吊りリングの内円には置き箱が固定的に接続され、前記置き箱の中には上に開口した開口溝が設けられ、前記開口溝の下端には水落ち穴が連通して設けられ、前記開口溝の下端には前記水落ち穴の間に位置する噛合チャンバが設けられ、前記噛合チャンバの頂端には従動軸がスライドできるように接続され、前記従動軸には前記開口溝の中に位置する遠心脱水槽が設けられ、前記従動軸の下端には前記噛合チャンバの中に位置する上継ぎ手が設けられ、前記噛合チャンバの下端内壁には前記従動軸と回転できるように接続されるスライド枠がスライドできるように接続され、前記スライド枠の下側と前記上継ぎ手の上側との間にはリターンばねが接続され、前記スライド枠には前記噛合チャンバの底部外側に位置する当接板が設けられ、前記当接板の上側と前記置き箱の下端端面との間には復帰ばねが接続され、前記噛合チャンバの底端内壁には固定軸が設けられ、前記固定軸の上端には前記上継ぎ手と当接する下継ぎ手が設けられており、
前記置き箱と前記遠心脱水槽との当接関係によって、前記リターンばねに位置エネルギーを蓄えさせ、これにより外部動力から離脱する時再び前記遠心脱水槽を回してＴシャツに対して遠心脱水を行う。
【０００７】
優選的には、前記スイッチ装置は前記伝動チャンバの頂端内壁にスライドできるように接続される押しロッドを含み、前記押しロッドには前記伝動チャンバとスライドできるように接続されるピストンが設けられ、前記ピストンの上側と前記伝動チャンバの頂端内壁との間には引張ばねが接続され、前記押しロッドには前記伝動チャンバの頂部外側に位置する押し板が設けられ、前記伝動チャンバの上端端面には左右対称のスタンドが回転できるように接続され、前記スタンドには前記押しロッドとヒンジで接続される回転ロッドが回転できるよに接続され、前記回転ロッドのうち対称中心から離れている端には前後に連通し、且つ前記固定ピンとスライドできるように接続される通し溝が設けられ、前記押しロッドによって前記ピストンを押し動かして下へ圧させて排気を行って前記昇降板を引張って上に移動させ、前記遠心脱水装置を上昇させて前記押圧装置と当接させる。
【０００８】
優選的には、前記押圧装置は前記伝動チャンバの底端端面と回転できるように接続される駆動軸を含み、前記駆動軸には前記開口溝の内壁と当接する押圧盤が回転できるように接続され、前記押圧盤の中には下に開口した押圧溝が設けられ、前記押圧溝の中には四組の固定ブロックが環状陳列で設けられ、前記駆動軸には前記固定ブロックと当接するスライド車が設けられ、前記駆動軸には前記押圧盤の上端に位置する羽根車が設けられ、前記羽根車の下側と前記押圧盤の上側との間にはねじりばねが接続されており、
前記排気穴によって噴出された気体が前記羽根車を回転連動させて前記スライド車を連動させて前記固定ブロックと当接させる。
【発明の効果】
【０００９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によってＴシャツの速乾を実現し、同時に、Ｔシャツを絞る時に発生するＴシャツの変形を避ける。
【図面の簡単な説明】
【００１０】
説明しやすいため、本発明は以下の具体的な実施例と付図を交え詳しく説明する。
【００１１】
【図１】図１は本発明のＴシャツ速乾装置の正面図
【図２】図２は図１のＡ―Ａの拡大略図
【図３】図３は図１のＢの拡大構造略図
【図４】図４は図１のＣの拡大構造略図
【発明を実施するための形態】
【００１２】
下記に図１−４を合わせて本発明について詳しく説明し、また、説明の便利を図るため、下記に記載の上下左右前後方向が図１自身の投影関係の上下左右前後方向と一致することにする。
【００１３】
本発明のＴシャツ速乾装置は、排水箱１１を含み、前記排水箱１１の中には正面に開口した乾燥チャンバ１２を含み、前記乾燥チャンバ１２の頂端には上下に伸びている左右対称の昇降板３２がスライドできるように接続され、前記昇降板３２の前端端面には固定ピン４９が設けられ、前記昇降板３２のうち対称中心に近接する側にはスライド溝２０が設けられ、前記スライド溝２０には遠心脱水装置９０１が設けられ、前記乾燥チャンバ１２の頂端には前記昇降板３２の間に位置する動力箱３１が設けられ、前記動力箱３１の中には伝動チャンバ３０が設けられ、前記伝動チャンバ３０の底端内壁には前記乾燥チャンバ１２と連通した排気穴１３が左右対称に設けられ、前記伝動チャンバ３０の頂端には前記昇降板３２を制御するスイッチ装置９０２がスライドできるように接続され、前記伝動チャンバ３０の下端端面には押圧装置９０３が回転できるように接続され、前記押圧装置９０３が前記遠心脱水装置９０１を制御し、前記伝動チャンバ３０の底端内壁には外部と連通した排水口２６が左右対称に設けられ、前記排水口２６の中には遮断ドア２４が回転できるように接続され、前記排水口２６の中には前記遮断ドア２４の下端に位置する位置制限リング２５が設けられ、Ｔシャツを前記排気穴１３の前端の開口から前記遠心脱水装置９０１の中に置き、手動で前記スイッチ装置９０２を押し動かして前記押圧装置９０３を連動させてＴシャツに圧力を加えて排水を行い、また前記遠心脱水装置９０１によって十分な脱水を行い、前記位置制限リング２５は、排水に関し、前記遮断ドア２４の回転する位置を制限する。
【００１４】
有益的には、前記遠心脱水装置９０１は前記スライド溝２０とスライドできるように接続される吊りリング２１を含み、前記吊りリング２１の内円には置き箱２２が固定的に接続され、前記置き箱２２の中には上に開口した開口溝２８が設けられ、前記開口溝２８の下端には水落ち穴２３が連通して設けられ、前記開口溝２８の下端には前記水落ち穴２３の間に位置する噛合チャンバ４４が設けられ、前記噛合チャンバ４４の頂端には従動軸４７がスライドできるように接続され、前記従動軸４７には前記開口溝２８の中に位置する遠心脱水槽２７が設けられ、前記従動軸４７の下端には前記噛合チャンバ４４の中に位置する上継ぎ手４５が設けられ、前記噛合チャンバ４４の下端内壁には前記従動軸４７と回転できるように接続されるスライド枠３９がスライドできるように接続され、前記スライド枠３９の下側と前記上継ぎ手４５の上側との間にはリターンばね４６が接続され、前記スライド枠３９には前記噛合チャンバ４４の底部外側に位置する当接板４３が設けられ、前記当接板４３の上側と前記置き箱２２の下端端面との間には復帰ばね４１が接続され、前記噛合チャンバ４４の底端内壁には固定軸４２が設けられ、前記固定軸４２の上端には前記上継ぎ手４５と当接する下継ぎ手４０が設けられており、
前記置き箱２２と前記遠心脱水槽２７との当接関係によって、前記リターンばね４６に位置エネルギーを蓄えさせ、これにより外部動力から離脱する時再び前記遠心脱水槽２７を回してＴシャツに遠心脱水を行う。
【００１５】
有益的には、前記スイッチ装置９０２は前記伝動チャンバ３０の頂端内壁にスライドできるように接続される押しロッド３５を含み、前記押しロッド３５には前記伝動チャンバ３０とスライドできるように接続されるピストン２９が設けられ、前記ピストン２９の上側と前記伝動チャンバ３０の頂端内壁との間には引張ばね３７が接続され、前記押しロッド３５には前記伝動チャンバ３０の頂部外側に位置する押し板３６が設けられ、前記伝動チャンバ３０の上端端面には左右対称のスタンド３３が回転できるように接続され、前記スタンド３３には前記押しロッド３５とヒンジで接続される回転ロッド３４が回転できるよに接続され、前記回転ロッド３４のうち対称中心から離れている端には前後に連通し、且つ前記固定ピン４９とスライドできるように接続される通し溝４８が設けられ、前記押しロッド３５によって前記ピストン２９を押し動かして下へ圧させて排気を行って前記昇降板３２を引張って上に移動させ、前記遠心脱水装置９０１を上昇させて前記押圧装置９０３と当接させる。
【００１６】
有益的には、前記押圧装置９０３は前記伝動チャンバ３０の底端端面と回転できるように接続される駆動軸１４を含み、前記駆動軸１４には前記開口溝２８の内壁と当接する押圧盤１７が回転できるように接続され、前記押圧盤１７の中には下に開口した押圧溝１９が設けられ、前記押圧溝１９の中には四組の固定ブロック３８が環状陳列で設けられ、前記駆動軸１４には前記固定ブロック３８と当接するスライド車１８が設けられ、前記駆動軸１４には前記押圧盤１７の上端に位置する羽根車１５が設けられ、前記羽根車１５の下側と前記押圧盤１７の上側との間にはねじりばね１６が接続されており、
前記排気穴１３によって噴出された気体が前記羽根車１５を回転連動させて前記スライド車１８を連動させて前記固定ブロック３８と当接させる。
【００１７】
初期状態の時、ピストン２９が伝動チャンバ３０のうち頂端内壁に近接する側に位置し、押圧盤１７が前記開口溝２８と当接していなく、且つ当接板４３が乾燥チャンバ１２の底端内壁と当接していることによって、上継ぎ手４５と下継ぎ手４０とが当接していない。
【００１８】
装置が作動する時、Ｔシャツを遠心脱水槽２７に置き、押し板３６を押し動かして押しロッド３５を下へ移動させ、開口溝２８が押圧盤１７と当接するまで回転ロッド３４によって昇降板３２を引き動かして上へ移動させ、復帰ばね４１の弾性回復によって当接板４３を押し動かして下へ移動させ、スライド枠３９によって上継ぎ手４５を下継ぎ手４０と当接させ、この時、押しロッド３５がピストン２９を押し動かして下へ移動させて気体を排気穴１３から押し出して羽根車１５を吹いて動かし、羽根車１５が駆動軸１４を回転連動させてスライド車１８によってＴシャツを押して固定ブロック３８と当接させて初歩排水を行い、遠心脱水槽２７がスライド車１８と当接して同期的に置き箱２２を回し、置き箱２２が固定軸４２によって下継ぎ手４０を回転させ、また上継ぎ手４５を回転連動させてリターンばね４６に運動エネルギーを蓄えさせ、ピストン２９は引張ばね３７の弾性が回復する時に上に移動する時、当接板４３が再び乾燥チャンバ１２の底端内壁と当接して再び上継ぎ手４５を下継ぎ手４０との当接から離脱させ、この時、リターンばね４６の弾性が回復して回転するようになって従動軸４７によって遠心脱水槽２７を回転連動させてＴシャツに対して遠心脱水を行い、水が水落ち穴２３を経由して排水口２６から流出する。
【００１９】
本発明の有益効果は：本発明はねじりで絞って水分を取り除く方法の代わりに押圧プラス遠心脱水の方法を採用し、Ｔシャツの乾燥をより便利に、力をあまり要求しないように実現し、簡単な押し又は引張動作によってＴシャツの速乾を実現し、同時に、Ｔシャツを絞る時に発生するＴシャツの変形を避ける。
【００２０】
上記の方法を通じて、本分野の当業者は本願発明の範囲内で作動パターンに応じて様々な変化を実施できます。